【手続補正書】
【提出日】平成27年6月19日(2015.6.19)
【手続補正１】
【補正対象書類名】特許請求の範囲
【補正対象項目名】全文
【補正方法】変更
【補正の内容】
【特許請求の範囲】
【請求項１】
注入関連データを管理する方法であって、
注入データ管理システムにおいてインターネットを通じて第１の注入関連データを受信することであって、前記第１の注入関連データは、第１の顧客に関連付けられる第１の注入デバイスに関している、ことと、
前記注入データ管理システム上に前記第１の注入関連データを記憶することと、
前記注入データ管理システムにおいてインターネットを通じて第２の注入関連データを受信することであって、前記第２の注入関連データは、第２の顧客に関連付けられる第２の注入デバイスに関している、ことと、
前記注入データ管理システム上に前記第２の注入関連データを記憶することであって、前記第１および第２の顧客は、互いに異なる、ことと、
顧客ごとの基準で前記注入データ管理システムによって記憶されている顧客注入関連データへのアクセスを提供することであって、それによって、前記注入データ管理システムへのアクセスを有する各顧客は、前記注入データ管理システムによって記憶されている自身の前記顧客注入関連データへのアクセスのみを有し、前記アクセスを提供するステップは、ウェブベースの顧客インターフェースを含む、ことと
を含む、方法。
【請求項２】
前記第１の注入関連データおよび第２の注入関連データは各々、流体が注入される注入手技に関し、各々は、プログラムされた流体注入速度、達成された流体注入速度、注入日、注入時間、プログラムされた注入されるべき流体の量、達成された前記注入された流体の量、前記注入された流体のタイプ、造影剤使用量、生成された最小流体圧力、生成された最大流体圧力、生成された平均流体圧力、時間の関数としての流体注入速度、時間の関数としての注入圧力、前記注入された流体のロット番号、前記注入された流体のヨウ素含有量、前記注入された流体の製造に対する責任がある施設の識別、前記注入された流体の包装に対して責任がある施設の識別、前記注入された流体の製造日、前記注入された流体の使用期限、前記注入された流体に関連付けられる全米医薬品コード、前記注入手技の完了時に前記注入デバイスによる使用のために残っている流体の量、およびそれらの任意の組み合わせから選択される、請求項１に記載の方法。
【請求項３】
前記注入データ管理システムは、インターネット上に少なくとも１つのサーバを備えている、請求項１〜２のいずれかに記載の方法。
【請求項４】
前記第１の注入関連データを受信するステップおよび前記第２の注入関連データを受信するステップは各々、前記インターネットを利用することを含む、請求項１〜３のいずれかに記載の方法。
【請求項５】
前記第１の注入関連データを記憶するステップは、前記注入データ管理システム上で前記第１の注入関連データを前記第１の顧客とリンクすることを含み、前記第２の注入関連データを記憶するステップは、前記注入データ管理システム上で前記第２の注入関連データを前記第２の顧客とリンクすることを含む、請求項１〜４のいずれかに記載の方法。
【請求項６】
前記アクセスを提供するステップは、前記第１の顧客と関連して前記注入データ管理システムによって記憶されている顧客注入関連データへのアクセスを前記第１の顧客に制限することを含み、前記アクセスを提供するステップは、前記第２の顧客と関連して前記注入データ管理システムによって記憶されている顧客注入関連データへのアクセスを前記第２の顧客に制限することをさらに含む、請求項１〜５のいずれかに記載の方法。
【請求項７】
前記注入データ管理システムと通信するための少なくとも１つのウェブベースのアプリケーションを提供することをさらに含む、請求項１〜６のいずれかに記載の方法。
【請求項８】
前記注入データ管理システムと通信するためのウェブベースのインターフェースを提供することをさらに含む、請求項１〜７のいずれかに記載の方法。
【請求項９】
第１の顧客認証データを、前記第１の顧客と関連して前記注入データ管理システムによって記憶されている全ての注入関連データに関連付けることと、
第２の顧客認証データを、前記第２の顧客と関連して前記注入データ管理システムによって記憶されている全ての注入関連データに関連付けることと
をさらに含む、請求項１〜８のいずれかに記載の方法。
【請求項１０】
前記注入データ管理システムにおいて第１の顧客証明データを受信することをさらに含み、前記アクセスを提供するステップは、前記第１の顧客証明データが前記第１の顧客認証データに合致するときのみ、前記注入データ管理システムによって記憶され、かつ前記第１の顧客に関連付けられている前記注入関連データへのアクセスを提供することを含む、請求項９に記載の方法。
【請求項１１】
前記注入データ管理システムにおいて第２の顧客証明データを受信することをさらに含み、前記アクセスを提供するステップは、前記第２の顧客証明データが前記第２の顧客認証データに合致するときのみ、前記注入データ管理システムによって記憶され、かつ前記第２の顧客に関連付けられている前記注入関連データへのアクセスを提供することをさらに含む、請求項１０に記載の方法。
【請求項１２】
前記第２の注入関連データの全体へのアクセスが禁止されるように、前記注入データ管理システムへの前記第１の顧客のアクセスを許可することと、
前記第１の注入関連データの全体へのアクセスが禁止されるように、前記注入データ管理システムへの前記第２の顧客のアクセスを許可することと
をさらに含む、請求項１〜１１のいずれかに記載の方法。
【請求項１３】
インターネットを通じて、かつ前記注入データ管理システムにおいて、第１の顧客注入関連データ選択の第１の要求を受信することと、
インターネットを介して、かつ前記第１の要求に応答して、前記第１の顧客注入関連データ選択を出力することであって、前記第１の顧客注入関連データ選択は、少なくとも部分的に、前記第１の注入関連データの少なくとも一部分に基づく、ことと
をさらに含む、請求項１〜１２のいずれかに記載の方法。
【請求項１４】
インターネットを通じて、かつ前記注入データ管理システムにおいて、第２の顧客注入関連データ選択の第２の要求を受信することと、
インターネットを介して、かつ前記第２の要求に応答して、前記第２の顧客注入関連データ選択を出力することであって、前記第２の顧客注入関連データ選択は、少なくとも部分的に、前記第２の注入関連データの少なくとも一部分に基づく、ことと
をさらに含む、請求項１３に記載の方法。
【請求項１５】
前記第２の顧客注入関連データ選択は、前記第２の顧客によって行われる少なくとも１つの注入手技に関するデータを含む、請求項１４に記載の方法。
【請求項１６】
前記第２の顧客注入関連データ選択は、１つの注入デバイスに特有である、請求項１４〜１５のいずれかに記載の方法。
【請求項１７】
前記第２の顧客注入関連データ選択は、複数の異なる注入デバイスに関連している、請求項１４〜１５のいずれかに記載の方法。
【請求項１８】
前記第１の顧客注入関連データ選択は、前記第１の顧客によって行われる少なくとも１つの注入手技に関するデータを含む、請求項１３〜１７のいずれかに記載の方法。
【請求項１９】
前記第１の顧客注入関連データ選択は、１つの注入デバイスに特有である、請求項１３〜１８のいずれかに記載の方法。
【請求項２０】
前記第１の顧客注入関連データ選択は、複数の異なる注入デバイスに関連している、請求項１３〜１８のいずれかに記載の方法。
【請求項２１】
注入データ管理システムであって、
インターネットと通信しているプラットフォームと、
前記プラットフォーム上に記憶され、かつ第１の顧客と関連する第１の顧客注入関連データと、
前記プラットフォーム上に記憶され、かつ前記第１の顧客注入関連データと関連する第１の顧客認証データであって、前記プラットフォーム上の前記第１の顧客注入関連データへのアクセスは、前記第１の顧客認証データに合致する顧客認証データが前記注入データ管理システムによって受信されることを要求する、第１の顧客認証データと、
前記プラットフォーム上に記憶され、かつ第２の顧客と関連する第２の顧客注入関連データと、
前記プラットフォーム上に記憶され、かつ前記第２の顧客注入関連データと関連する第２の顧客認証データであって、前記プラットフォーム上の前記第２の顧客注入関連データへのアクセスは、前記第２の顧客認証データに合致する顧客認証データが前記注入データ管理システムによって受信されることを要求する、第２の顧客認証データと、
前記プラットフォームに関連付けられているウェブベースの顧客インターフェースと
を備えている、システム。
【請求項２２】
前記プラットフォームは、少なくとも１つのサーバを備えている、請求項２１に記載のシステム。
【請求項２３】
前記プラットフォームは、少なくとも１つのウェブベースのアプリケーションを備えている、請求項２１〜２２のいずれかに記載のシステム。
【請求項２４】
前記第１および第２の注入関連データは各々、注入手技に関し、各々は、プログラムされた流体注入速度、達成された流体注入速度、注入日、注入時間、プログラムされた注入されるべき流体の量、達成された前記注入された流体の量、注入される流体のタイプ、造影剤使用量、顧客造影剤在庫データ、生成された最小流体圧力、生成された最大流体圧力、生成された平均流体圧力、時間の関数としての流体注入速度、時間の関数としての注入圧力、前記注入された流体のロット番号、前記注入された流体のヨウ素含有量、前記注入された流体の製造に対する責任がある施設の識別、前記注入された流体の包装に対して責任がある施設の識別、前記注入された流体の製造日、前記注入された流体の使用期限、前記注入された流体に関連付けられる全米医薬品コード、前記注入手技の完了時に前記注入デバイスによって使用するために残っている流体の量、およびそれらの任意の組み合わせから選択される、請求項２１〜２３のいずれかに記載のシステム。
【請求項２５】
前記第１の顧客認証データは、第１のユーザ名および第１のパスワードのうちの少なくとも１つを含み、前記第２の顧客認証データは、第２のユーザ名および第２のパスワードのうちの少なくとも１つを含む、請求項２１〜２４のいずれかに記載のシステム。
【手続補正２】
【補正対象書類名】明細書
【補正対象項目名】００３６
【補正方法】変更
【補正の内容】
【００３６】
任意の適切な数の注射器が、任意の適切な様式において（例えば、取り外し可能に、正面装填、背面装填、側面装填）任意のそのような自動注入器とともに使用され得、任意の適切な医療流体が、任意のそのような自動注入器の所与の注射器から放出され得（例えば、造影剤、治療流体、放射性医薬品、生理食塩水、および任意のそれらの組み合わせ）、任意の適切な流体が、任意の適切な様式において（例えば、連続して、同時に）、複数の注射器自動注入器構成から放出され得、または任意のそれらの組み合わせであり得る。一実施形態では、自動注入器の動作によって、注射器から放出される流体は、導管（例えば、医療管類セット）に向けられ、その場合、この導管は、任意の適切な様式において、注射器と流動的に相互接続され、流体を所望の場所（例えば、注入のために、患者内に挿入される、カテーテル）に向ける。複数の注射器は、共通導管内に放出され得る（例えば、単一注入部位への提供のため）、または１つの注射器が、１つの導管内に放出され得る（例えば、１つの注入部位への提供のため）一方、別の注射器は、異なる導管内に放出され得る（例えば、異なる注入部位への提供のため）。一実施形態では、各注射器は、注射筒と、注射筒内およびそれに対して移動可能であるように配置される、プランジャと、を含む。本プランジャは、注射器プランジャ駆動アセンブリが、少なくとも１つの方向、および可能性として、２つの異なる反対方向に、プランジャを前進させることが可能であるように、自動注入器の注射器プランジャ駆動アセンブリと界面接合し得る。
本発明は、例えば、以下を提供する。
（項目１）
注入関連データを管理する方法であって、
第１の注入デバイスを動作させることと、
第１の注入デバイスを動作させる前記ステップに関連付けられる第１の注入関連データを生成することと、
インターネットへ、かつ注入データ管理システムに宛てて前記第１の注入関連データを出力することと、
前記インターネットへ、かつ前記注入データ管理システムに宛てて第１の顧客注入関連データ選択の第１の要求を出力することと、
前記インターネットを介して、かつ前記第１の要求に応答して、前記第１の顧客注入関連データ選択を受信することであって、前記第１の顧客注入関連データ選択は、少なくとも部分的に、前記第１の注入関連データの少なくとも一部分に基づく、ことと
を含む、方法。
（項目２）
前記第１の注入関連データを出力する前記ステップは、前記第１の注入デバイスから直接実行される、項目１に記載の方法。
（項目３）
前記第１の注入デバイス上に前記第１の注入関連データを記憶することをさらに含み、前記第１の注入関連データを出力する前記ステップは、前記第１の注入デバイスから直接実行される、項目１に記載の方法。
（項目４）
前記第１の注入デバイスと動作可能に相互接続されている第１のデータ記憶デバイス上に前記第１の注入関連データを記憶することをさらに含み、前記第１の注入関連データを出力する前記ステップは、前記第１のデータ記憶デバイスから直接実行される、項目１に記載の方法。
（項目５）
前記第１の注入関連データは、流体が注入される注入手技に関し、前記第１の注入関連データは、プログラムされた流体注入速度、達成された流体注入速度、注入日、注入時間、プログラムされた注入されるべき流体の量、達成された前記注入された流体の量、前記注入された流体のタイプ、造影剤使用量、生成された最小流体圧力、生成された最大流体圧力、生成された平均流体圧力、時間の関数としての流体注入速度、時間の関数としての注入圧力、前記注入された流体のロット番号、前記注入された流体のヨウ素含有量、前記注入された流体の製造に対する責任がある施設の識別、前記注入された流体の包装に対して責任がある施設の識別、前記注入された流体の製造日、前記注入された流体の使用期限、前記注入された流体に関連付けられる全米医薬品コード、前記注入手技の完了時に前記第１の注入デバイスによる使用のために残っている流体の量、およびそれらの任意の組み合わせから選択される、項目１〜４のいずれかに記載の方法。
（項目６）
顧客識別情報を前記第１の注入関連データに関連付けることをさらに含む、項目１〜５のいずれかに記載の方法。
（項目７）
前記注入データ管理システムは、少なくとも１つのサーバを備えている、項目１〜６のいずれかに記載の方法。
（項目８）
顧客ごとの基準で前記注入データ管理システム上の顧客注入関連データへのアクセスを限定することをさらに含む、項目１〜７のいずれかに記載の方法。
（項目９）
前記インターネット上で前記第１の注入関連データを前記注入データ管理システムに送信することをさらに含み、前記送信するステップは、前記第１の注入関連データを出力する前記ステップを含む、項目１〜８のいずれかに記載の方法。
（項目１０）
前記第１の注入関連データを出力する前記ステップは、前記注入データ管理システムに関連付けられる第１のインターネットアドレスに前記第１の注入関連データを宛てることを含み、前記注入データ管理システムは、前記第１のインターネットアドレスを通して、前記インターネット上で複数の顧客によってアクセス可能である、項目１〜９のいずれかに記載の方法。
（項目１１）
前記第１の注入関連データを出力する前記ステップは、前記注入データ管理システムの第１のインターネットアドレスに前記第１の注入関連データを宛てることを含み、第１の要求を出力する前記ステップは、前記注入データ管理システムの前記第１のインターネットアドレスに前記第１の要求を宛てることを含む、項目１〜１０のいずれかに記載の方法。
（項目１２）
前記第１の注入関連データを出力する前記ステップ、および第１の要求を出力する前記ステップは各々、前記注入データ管理システムの外側で実行される、項目１〜１１のいずれかに記載の方法。
（項目１３）
前記第１の注入関連データを出力する前記ステップ、および第１の要求を出力する前記ステップは各々、前記注入データ管理システムを遠隔でアクセスすることを含む、項目１〜１２のいずれかに記載の方法。
（項目１４）
第１の要求を出力する前記ステップは、前記第１の注入関連データを出力する前記ステップの後に実行される、項目１〜１３のいずれかに記載の方法。
（項目１５）
前記第１の注入関連データを出力する前記ステップは、前記注入データ管理システムにアップロードするための前記第１の注入関連データを指定することを含み、前記受信するステップは、前記注入データ管理システムから前記第１の顧客注入関連データをダウンロードすることを含む、項目１〜１４のいずれかに記載の方法。
（項目１６）
前記第１の注入関連データスを出力する前記ステップは、前記第１の注入関連データを前記注入データ管理システムにアップロードすることを含み、前記受信するステップは、前記注入データ管理システムから前記第１の顧客注入関連データをダウンロードすることを含む、項目１〜１５のいずれかに記載の方法。
（項目１７）
前記第１の注入関連データスを出力する前記ステップは、前記インターネット上で前記第１の注入関連データを前記注入データ管理システムのサーバに送信することを含む、項目１〜１６のいずれかに記載の方法。
（項目１８）
前記第１の顧客注入関連データ選択は、顧客造影剤使用量データ、顧客造影剤在庫データ、またはそれらの組み合わせから選択される、項目１〜１７のいずれかに記載の方法。
（項目１９）
前記第１の顧客注入関連データ選択は、前記第１の注入デバイスに特有である、項目１〜１８のいずれかに記載の方法。
（項目２０）
前記第１の顧客注入関連データ選択は、前記第１の注入デバイスに関連付けられる第１の顧客に特有である、項目１〜１９のいずれかに記載の方法。
（項目２１）
第２の注入デバイスを動作させることであって、前記第１および第２の注入デバイスは、共通の顧客に関連付けられている、ことと、
第２の注入デバイスを動作させる前記ステップに関連付けられる第２の注入関連データを生成することと、
前記インターネットへ、かつ前記注入データ管理システムと関連して、前記第２の注入関連データを出力することと
をさらに含む、項目１〜２０のいずれかに記載の方法。
（項目２２）
前記第１および第２の注入デバイスは、共通の施設に位置している、項目２１に記載の方法。
（項目２３）
前記第１および第２の注入デバイスは、異なる施設に位置している、項目２１に記載の方法。
（項目２４）
前記第１の顧客注入関連データ選択はまた、少なくとも部分的に、前記第２の注入関連データの少なくとも一部分にも基づく、項目２１〜２３のいずれかに記載の方法。
（項目２５）
前記第２の注入デバイス上に前記第２の注入関連データを記憶することをさらに含み、前記第２の注入関連データを出力する前記ステップは、前記第２の注入デバイスから直接実行される、項目２１〜２４のいずれかに記載の方法。
（項目２６）
前記第１および第２の注入デバイスの各々と動作可能に相互接続されている第１のデータ記憶デバイス上に、前記第１の注入関連データおよび前記第２の注入関連データの各々を記憶することをさらに含み、前記第１の注入関連データを出力する前記ステップ、および前記第２の注入関連データを出力する前記ステップの各々は、前記第１のデータ記憶デバイスから直接実行される、項目２１〜２４のいずれかに記載の方法。
（項目２７）
前記インターネットへ、かつ前記注入データ管理システムと関連して、第２の顧客注入関連データ選択の第２の要求を出力することと、
前記インターネットを介して、かつ前記第２の要求に応答して、前記第２の顧客注入関連データ選択を受信することであって、前記第２の顧客注入関連データ選択は、少なくとも部分的に、前記第２の注入関連データの少なくとも一部分に基づく、ことと
をさらに含む、項目２１〜２６のいずれかに記載の方法。
（項目２８）
第１の要求を出力する前記ステップ、および前記第１の顧客注入関連データ選択を受信する前記ステップは各々、共通の第１の通信デバイスを利用する、項目１〜２７のいずれかに記載の方法。
（項目２９）
前記第１の通信デバイスは、前記第１の注入デバイス以外である、項目２８に記載の方法。
（項目３０）
前記第１の通信デバイスは、ラップトップコンピュータ、ネットブック、デスクトップコンピュータ、タブレットＰＣ、携帯情報端末、またはスマートフォンから選択される、項目２８〜２９のいずれかに記載の方法。
（項目３１）
前記第１の顧客注入関連データ選択を受信する前記ステップは、前記第１の注入デバイスを使用して行われる少なくとも１つの注入手技に関するデータを含むレポートを受信することを含む、項目１〜３０のいずれかに記載の方法。
（項目３２）
前記第１の顧客注入関連データ選択を受信する前記ステップは、顧客造影剤使用量および顧客造影剤在庫のうちの少なくとも１つを受信することを含む、項目１〜３１のいずれかに記載の方法。
（項目３３）
証明データを入力することをさらに含み、前記第１の顧客注入関連データ選択を受信する前記ステップは、前記証明データが、前記第１の顧客注入関連データ選択に関連付けられる認証データに合致するときのみ実行される、項目１〜３２のいずれかに記載の方法。
（項目３４）
第１の要求を出力する前記ステップは、レポート生成基準を入力することを含み、前記第１の顧客注入関連データ選択を受信する前記ステップは、前記レポート生成基準に基づくレポートを受信することを含む、項目１〜３３のいずれかに記載の方法。
（項目３５）
第１の要求を出力する前記ステップおよび前記顧客注入関連データ選択を受信する前記ステップの各々のために、ウェブベースのインターフェースにアクセすることをさらに含む、項目１〜３４のいずれかに記載の方法。
（項目３６）
注入関連データを管理する方法であって、
注入データ管理システムにおいて第１の注入関連データを受信することであって、前記第１の注入関連データは、第１の顧客に関連付けられる第１の注入デバイスに関している、ことと、
前記注入データ管理システム上に前記第１の注入関連データを記憶することと、
前記注入データ管理システムにおいて第２の注入関連データを受信することであって、前記第２の注入関連データは、第２の顧客に関連付けられる第２の注入デバイスに関している、ことと、
前記注入データ管理システム上に前記第２の注入関連データを記憶することであって、前記第１および第２の顧客は、互いに異なる、ことと、
顧客ごとの基準で前記注入データ管理システムによって記憶されている顧客注入関連データへのアクセスを提供することと
を含む、方法。
（項目３７）
前記第１の注入関連データおよび第２の注入関連データは各々、流体が注入される注入手技に関し、各々は、プログラムされた流体注入速度、達成された流体注入速度、注入日、注入時間、プログラムされた注入されるべき流体の量、達成された前記注入された流体の量、前記注入された流体のタイプ、造影剤使用量、生成された最小流体圧力、生成された最大流体圧力、生成された平均流体圧力、時間の関数としての流体注入速度、時間の関数としての注入圧力、前記注入された流体のロット番号、前記注入された流体のヨウ素含有量、前記注入された流体の製造に対する責任がある施設の識別、前記注入された流体の包装に対して責任がある施設の識別、前記注入された流体の製造日、前記注入された流体の使用期限、前記注入された流体に関連付けられる全米医薬品コード、前記注入手技の完了時に前記第１の注入デバイスによる使用のために残っている流体の量、およびそれらの任意の組み合わせから選択される、項目３６に記載の方法。
（項目３８）
前記注入データ管理システムは、インターネット上に少なくとも１つのサーバを備えている、項目３６〜３７のいずれかに記載の方法。
（項目３９）
第１の注入関連データを受信する前記ステップおよび第２の注入関連データを受信する前記ステップは各々、前記インターネットを利用することを含む、項目３６〜３８のいずれかに記載の方法。
（項目４０）
前記第１の注入関連データを記憶する前記ステップは、前記注入データ管理システム上で前記第１の注入関連データを前記第１の顧客とリンクすることを含み、第２の注入関連データを記憶する前記ステップは、前記注入データ管理システム上で前記第２の注入関連データを前記第２の顧客とリンクすることを含む、項目３６〜３９のいずれかに記載の方法。
（項目４１）
アクセスを提供する前記ステップは、前記第１の顧客と関連して前記注入データ管理システムによって記憶されている顧客注入関連データへのアクセスを前記第１の顧客に制限することを含み、アクセスを提供する前記ステップは、前記第２の顧客と関連して前記注入データ管理システムによって記憶されている顧客注入関連データへのアクセスを前記第２の顧客に制限することをさらに含む、項目３６〜４０のいずれかに記載の方法。
（項目４２）
前記注入データ管理システムと通信するための少なくとも１つのウェブベースのアプリケーションを提供することをさらに含む、項目３６〜４１のいずれかに記載の方法。
（項目４３）
前記注入データ管理システムと通信するためのウェブベースのインターフェースを提供することをさらに含む、項目３６〜４２のいずれかに記載の方法。
（項目４４）
第１の顧客認証データを、前記第１の顧客と関連して前記注入データ管理システムによって記憶されている全ての注入関連データに関連付けることと、
第２の顧客認証データを、前記第２の顧客と関連して前記注入データ管理システムによって記憶されている全ての注入関連データに関連付けることと
をさらに含む、項目３６〜４３のいずれかに記載の方法。
（項目４５）
前記注入データ管理システムにおいて第１の顧客証明データを受信することをさらに含み、アクセスを提供する前記ステップは、前記第１の顧客証明データが前記第１の顧客認証データに合致するときのみ、前記注入データ管理システムによって記憶され、かつ前記第１の顧客に関連付けられている前記注入関連データへのアクセスを提供することを含む、項目４４に記載の方法。
（項目４６）
前記注入データ管理システムにおいて第２の顧客証明データを受信することをさらに含み、アクセスを提供する前記ステップは、前記第２の顧客証明データが前記第２の顧客認証データに合致するときのみ、前記注入データ管理システムによって記憶され、かつ前記第２の顧客に関連付けられている前記注入関連データへのアクセスを提供することをさらに含む、項目４５に記載の方法。
（項目４７）
前記第２の注入関連データの全体へのアクセスが禁止されるように、前記注入データ管理システムへの前記第１の顧客のアクセスを許可することと、
前記第１の注入関連データの全体へのアクセスが禁止されるように、前記注入データ管理システムへの前記第２の顧客のアクセスを許可することと
をさらに含む、項目３６〜４６のいずれかに記載の方法。
（項目４８）
前記インターネット上で、かつ前記注入データ管理システムにおいて、第１の顧客注入関連データ選択の第１の要求を受信することと、
前記インターネットを介して、かつ前記第１の要求に応答して、前記第１の顧客注入関連データ選択を出力することであって、前記第１の顧客注入関連データ選択は、少なくとも部分的に、前記第１の注入関連データの少なくとも一部分に基づく、ことと
をさらに含む、項目３６〜４７のいずれかに記載の方法。
（項目４９）
前記インターネット上で、かつ前記注入データ管理システムにおいて、第２の顧客注入関連データ選択の第２の要求を受信することと、
前記インターネットを介して、かつ前記第２の要求に応答して、前記第２の顧客注入関連データ選択を出力することであって、前記第２の顧客注入関連データ選択は、少なくとも部分的に、前記第２の注入関連データの少なくとも一部分に基づく、ことと
をさらに含む、項目４８に記載の方法。
（項目５０）
前記第２の顧客注入関連データ選択は、前記第２の顧客によって行われる少なくとも１つの注入手技に関するデータを含む、項目４９に記載の方法。
（項目５１）
前記第２の顧客注入関連データ選択は、１つの注入デバイスに特有である、項目４９〜５０のいずれかに記載の方法。
（項目５２）
前記第２の顧客注入関連データ選択は、複数の異なる注入デバイスに関連している、項目４９〜５１のいずれかに記載の方法。
（項目５３）
前記第１の顧客注入関連データ選択は、前記第１の顧客によって行われる少なくとも１つの注入手技に関するデータを含む、項目４８〜５２のいずれかに記載の方法。
（項目５４）
前記第１の顧客注入関連データ選択は、１つの注入デバイスに特有である、項目４８〜５３のいずれかに記載の方法。
（項目５５）
前記第１の顧客注入関連データ選択は、複数の異なる注入デバイスに関連している、項目４８〜５４のいずれかに記載の方法。
（項目５６）
注入データ管理システムであって、
インターネットと通信しているプラットフォームと、
前記プラットフォーム上に記憶され、かつ第１の顧客と関連する第１の顧客注入関連データと、
前記プラットフォーム上に記憶されている第１の顧客認証データと、
前記プラットフォーム上に記憶され、かつ第２の顧客と関連する第２の顧客注入関連データと、
前記プラットフォーム上に記憶されている第２の顧客認証データと、
前記プラットフォームに関連付けられているウェブベースの顧客インターフェースと
を備えている、システム。
（項目５７）
前記プラットフォームは、少なくとも１つのサーバを備えている、項目５６に記載のシステム。
（項目５８）
前記プラットフォームは、少なくとも１つのウェブベースのアプリケーションを備えている、項目５６〜５７のいずれかに記載のシステム。
（項目５９）
前記第１および第２の注入関連データは各々、注入手技に関し、各々は、プログラムされた流体注入速度、達成された流体注入速度、注入日、注入時間、プログラムされた注入されるべき流体の量、達成された前記注入された流体の量、注入される流体のタイプ、造影剤使用量、顧客造影剤在庫データ、生成された最小流体圧力、生成された最大流体圧力、生成された平均流体圧力、時間の関数としての流体注入速度、時間の関数としての注入圧力、前記注入された流体のロット番号、前記注入された流体のヨウ素含有量、前記注入された流体の製造に対する責任がある施設の識別、前記注入された流体の包装に対して責任がある施設の識別、前記注入された流体の製造日、前記注入された流体の使用期限、前記注入された流体に関連付けられる全米医薬品コード、前記注入手技の完了時に前記注入デバイスによって使用するために残っている流体の量、およびそれらの任意の組み合わせから選択される、項目５６〜５８のいずれかに記載のシステム。
（項目６０）
前記第１の顧客認証データは、第１のユーザ名および第１のパスワードのうちの少なくとも１つを含み、前記第２の顧客認証データは、第２のユーザ名および第２のパスワードのうちの少なくとも１つを含む、項目５６〜５９のいずれかに記載のシステム。
（項目６１）
注入関連データを管理する方法であって、
第１の注入デバイスを動作させることと、
第１の注入デバイスを動作させる前記ステップに関連付けられる第１の注入関連データを生成することと、
インターネットを介して、前記第１の注入関連データを注入データ管理システムのサーバに出力することと、
前記インターネットを介して、第１の顧客注入関連データ選択の第１の要求を前記注入データ管理システムの前記サーバに出力することと、
前記インターネットを介して、かつ前記第１の要求に応答して、前記注入データ管理システムの前記サーバから前記第１の顧客注入関連データ選択を受信することであって、  前記第１の顧客注入関連データ選択は、少なくとも部分的に、前記第１の注入関連データの少なくとも一部分に基づく、ことと
を含む、方法。